(57)【要約】      （修正有）【課題】銅リングを、長さ調節のできる釣り糸でつなぎ、その先端に吸盤を設けて、流し台の排水管内の水底に設置し、銅イオンによって悪臭やヌメリを除去する、釣り糸つき銅リング抗菌具。【解決手段】銅リング（１）に設けた小リング（２）に、長さ調節をするための結び目ストッパー（４）と真珠ストッパー（５）をもつ、二重釣り糸（３）の先端に、吸盤（６）を設ける。【選択図】図２
2006029058.tif 000002
【特許請求の範囲】
【請求項１】
復数の結び目ストッパーと、復数の真珠ストッパーによって、長さ調節機能をもつ、二重釣り糸の両端に吸盤と銅リングを設け、その銅リングを排水管の水底などに設置して、銅イオン抗菌力によって悪臭やヌメリをおさえる、釣り糸つき銅リング抗菌具。
【発明の詳細な説明】
【技術分野】
【０００１】  この発明は、復数の真珠ストッパーによって長さ調節ができる、結び目つきの二重釣り糸の両端に、吸盤と銅リングを設け、その銅リングを流し台の排水管の水底に設置して、銅イオンの抗菌力によって悪臭やヌメリをおさえる釣り糸つき銅リング抗菌具に関するものである。
〔背景技術〕【０００２】（イ）従来、排水管の入口に設置する銅イオンを活用した銅製の網皿はあったが、悪臭やヌメリの元凶と言われる、肝心の排水管の水底に対する策がないため、結局、防臭スプレーや薬品投与に頼る結果となり、年間にかかる薬品代は高く、大変、不経済であった。
（ロ）また、排水管の入口を囲む、リング状の抗菌具はあったが、前記と同じく悪臭やヌメリの元凶となる排水管の水底に設置できるものではないため、根本的な悪臭、ヌメリ対策にはならなかった。
〔発明の開示〕
〔発明が解決しようとする課題〕【０００３】  従って、流し台の悪臭やヌメリは、排水管内の水底に根本的な問題があることを知りながら、今まで解決されなかったが、本発明は、銅イオン効果を銅リングの形状にして抗菌力を高め、その銅リングに長さ調節のできる二重釣り糸の構造を設けることで、悪臭、ヌメリが一番発生しやすい排水管の水底へ設置可能にし、薬品などを使用しないで１０年近く抗菌効果を継続できる、釣り糸つき銅リング抗菌具を提供するものである。
〔課題を解決するための手段〕【０００４】    その構成を説明すると
（イ）直径５〜６ｍｍの銅パイプを、直径６〜７センチのリング状にして、銅リングを形成する。
（ロ）その銅リングに直径約１ｃｍの小リングをはめる。
（ハ）その小リングに２個の真珠ストッパーつき二重釣り糸を設け、その先端に１個の真珠ストッパーつき吸盤を設ける。
（ニ）二重釣り糸の中間に５ｃｍ間隔で復数の結び目ストッパーを設ける。
〔発明の効果〕【０００５】    従って、本発明は、
（イ）実際に、約５年間、一搬の家庭の流し台の排水管の水底などで実験したところ、銅イオンによる抗菌効果が大きく認められ、悪臭、ヌメリが激減した。
（ロ）また、本発明の釣り糸つき銅リング抗菌具を、公的機関で規準検査を行ったところ、大腸菌、ブドウ球菌については約１００％繁殖しないことが分り、抗菌効果が認められた。
（ハ）銅パイプのリングの形状は、パイプ形状にすることで軽量化し、リングの形状にすることで排水管の水底などにピッタリと丸くはまり、菌の繁殖を最大限に押えることができる。
（ニ）本発明の二本たばねた釣り糸の強度は、５キロを持ち上げる力があるので切れたりする心配はなく、釣り糸二本の太さは０．７４ｍｍなので、排水管入口に設置してある網皿の脇下をくぐり抜け、その約２０ｃｍ下に設置してある排水管の水底にまで到達でき、また、その釣り糸を引けば、銅リングは容易に回収できる。
（ホ）釣り糸の長さが調節できるので、銅リングを排水口の網皿に設置する場合、短かくすれば、釣り糸は邪魔にならず、また、その下にある排水管の水底に設定する時は充分長く伸ばすことができる。
（ヘ）釣り糸の色が螢光色の黄色で輝き、真珠ストッパーが白く輝くので、暗い流し台において、きれいで見やすく、吸盤など紛失するようなことはない。
（ト）素材が９９．５％以上の純銅であるのと螢光色の釣り糸なので、製造しやすいため、安価で提供できる。
（チ）薬品などによる防臭費用は年間にすると大きいが本発明を使用すれば、１個で１０年近く防臭維持できるので大変経済的である。
（リ）銅リングを排水管の水底に数日間設置すると緑青などによって黒ずむが、その清掃は冬場で１週間に１回、夏場で１週間に２〜３回なので楽である。
（ヌ）銅リングは丸い形状なので持ちやすく、回転させやすいので、金属タワシなどで楽に清掃できる。
〔発明を実施するための最良の形態〕【０００６】    以下、本発明の実施形態を説明する
（イ）外径約６ｍｍ、内径約４ｍｍの銅パイプを直径約７ｃｍの丸いリング状にし、銅リング（１）を形成し、丸い排水口の網皿（１１）や、排水管の水底（９）にピタリと設置できる形状にする。
（ロ）二重釣り糸（３）に設けてある結び目ストッパー（４）と真珠ストッパー（５′）は、釣り糸の長さ調節を図るためのものであり、その方法を説明すると、〔図３〕のように長さを半分にしたい場合、二重釣り糸（３）に設けてある結び目ストッパー（４）、（４′）間を両手を以って開き目（７）にする一方、吸盤に隣接した真珠ストッパー（５′）を手で、引き出し、前記の開き目（７）の中に挿入すれば、真珠ストッパー（５′）は結び目ストッパー（４）に喰い止められて固定され、全体的に二重釣り糸（３）の一部が半分折られる状態になるので、長さが短縮することになり、開き目（７）への挿入位置を変えることで長さ調節を可能にする。
（ハ）小リング（２）は、銅リング（１）よりも数ｍｍ大きい輪のため、銅リング（１）上で自由に回転できるので、小リング（２）に伴う、二重釣り糸（３）や真珠ストッパー（５）は銅リングを金属タワシなどで清掃をする時、邪魔になることはなく、損傷させることはない。
（ニ）本発明の銅リング（１）の形状は、特にリング状に限るものではなく、設置場所の形状に合せて、変形してよく、例えば三角形のゴミカゴの場合、三角形の銅パイプの形状になり、細長い排水管に縦に設置する場合は、銅リング（１）を押しつぶした細長い楕円形状になる。〔図４、図５〕
（ホ）また、排水管が大きい場合は、その容積に合せて大小の銅リング（１）、及び復数の銅リン（１）を連結、増強させて使用することが可能である。
【図面の簡単な説明】
【０００７】〔図１〕本発明の実施例を示した斜視図である。
〔図２〕本発明の使用状態を示した斜視図である。
〔図３〕本発明の使用状態を示した説明図である。
〔図４〕本発明の他の実施例を示した斜視図である。
〔図５〕本発明の他の実施例を示した断面図である。
〔図６〕本発明の実施例を示した断面図である。
〔図７〕本発明の他の実施例を示した断面図である。
【符号の説明】
【０００８】  １．    銅リング
２．    小リング
３．    二重釣り糸
４．４′結び目ストッパー
５．５′真珠ストッパー
６．    吸盤
７．    開き目
８．    銅リングの切断口
９．    排水管の水底
１０．    フタ
１１．    網皿
【図１】
2006029058.tif 000003
【図２】
2006029058.tif 000004
【図３】
2006029058.tif 000005
【図４】
2006029058.tif 000006
【図５】
2006029058.tif 000007
【図６】
2006029058.tif 000008
【図７】
2006029058.tif 000009